(57)【要約】ラジオ局（１）は、ＷＡＰで可能な移動通信装置（３）により受信されるＶＨＦ−ＦＭ信号を使ってラジオ番組を送信する。この信号は、ラジオ局に関連付けられているウェブサイトのＵＲＬを含むラジオデータサービス（ＲＤＳ）データを含む。ユーザは、ウェブページにアクセスし、票を投じることにより世論調査に参加する。サーバーは、票を記録する。ラジオ局は、票を数えて、そのラジオ番組が放送されている間に票を発表する。
2005506772.tif 000002
【特許請求の範囲】
【請求項１】
移動通信装置を使用して放送番組の製作者に生のフィードバックを提供する方法であって：
番組コンテンツのストリームと、応答せよという前記装置のユーザに対するメッセージとを前記装置において受信し；
前記ストリームがなお受信されている間にフィードバックを提供するために該製作者に関連付けられているサーバーコンピュータに前記装置から応答を送信することを含む方法。
【請求項２】
前記番組コンテンツはラジオ番組コンテンツであることを特徴とする請求項１に記載の方法。
【請求項３】
前記番組コンテンツはテレビジョン番組コンテンツであることを特徴とする請求項１に記載の方法。
【請求項４】
前記番組コンテンツの前記ストリームから前記メッセージを抽出することを含むことを特徴とする請求項１から３のいずれか一項に記載の方法。
【請求項５】
第１ネットワークを介して前記番組コンテンツのストリームを受信し、第２の異なるネットワークを介して前記メッセージを受信することを含むことを特徴とする請求項１から３のいずれか一項に記載の方法。
【請求項６】
第２の異なるネットワークを介する前記メッセージの前記受信は、公衆地上移動通信ネットワークを介して前記メッセージを入手することを含むことを特徴とする請求項５に記載の方法。
【請求項７】
前記メッセージの前記受信は、複数の選択可能な選択肢に関する情報を受信することを含むことを特徴とする上記請求項のいずれか一項に記載の方法。
【請求項８】
各選択肢にそれぞれの入力手段が割り当てられるように前記メッセージに応じて前記装置を構成することを更に含むことを特徴とする請求項７に記載の方法。
【請求項９】
前記応答の前記送信は、前記選択可能な選択肢のうちの１つに関連する応答メッセージを送ることを含むことを特徴とする請求項７又は８に記載の方法。
【請求項１０】
ユーザが電子トランザクションを行うことを更に含むことを特徴とする上記請求項のいずれか一項に記載の方法。
【請求項１１】
複数の選択可能な選択肢に関連する情報を含む前記メッセージを１つ以上の移動通信装置に送信し；
前記選択肢のうちから選択された１つの選択肢に関連するデータを各々含む応答を前記装置のうちの少なくとも幾つかから受信し；
前記応答から調査結果を作ることを含むことを特徴とする上記請求項のいずれか一項に記載の方法。
【請求項１２】
移動通信装置を使ってチャットメッセージを作り；
該製作者と関連付けられているサーバー手段に移動通信ネットワークを介して前記チャットメッセージを送信し；
放送ネットワークを介して前記チャットメッセージを放送することを含むことを特徴とする上記請求項のいずれか一項に記載の方法。
【請求項１３】
移動通信装置を使ってラジオ放送番組の製作者に生のフィードバックを提供する方法であって、この方法は：
該製作者から該装置にラジオ番組コンテンツのストリームを送信し；
該製作者から発せられた、応答せよというメッセージを前記装置のユーザに送信し；
前記ストリームがなお送信されている間に前記製作者と関連付けられているサーバー手段で応答を受信することを含むことを特徴とする方法。
【請求項１４】
複数の選択可能な選択肢に関連する情報を含む前記メッセージを１つ以上の移動通信装置に送信し；
前記選択肢のうちから選択された１つの選択肢に関連するデータを各々含む応答を前記装置のうちの少なくとも幾つかから受信し；
前記応答から調査結果を作ることを含むことを特徴とする請求項１３に記載の方法。
【請求項１５】
移動通信装置を使ってチャットメッセージを作り；
該製作者と関連付けられているサーバー手段に通信ネットワークを介して前記チャットメッセージを送信し；
放送ネットワークを介して前記チャットメッセージを放送することを含むことを特徴とする請求項１３又は１４に記載の方法。
【請求項１６】
移動通信装置がラジオ放送番組の製作者に生のフィードバックを提供することを可能にするシステムであって：
該製作者から該装置へのラジオ番組コンテンツのストリームを作るための手段と；
該製作者から発せられた、応答せよという前記装置のユーザに対するメッセージを送信するための手段と；
前記ストリームがなお作っている間に前記メッセージに対する応答を受信するための手段とを含むことを特徴とするシステム。
【請求項１７】
応答せよという前記装置の前記ユーザに対する前記メッセージを送信するための前記手段は、ラジオシステムデータ（ＲＤＳ）を作るための手段を含むことを特徴とする請求項１６に記載のシステム。
【請求項１８】
応答せよという前記装置の前記ユーザに対する前記メッセージを送信するための前記手段は、ディジタルオーディオ放送ネットワークを含むことを特徴とする請求項１６に記載のシステム。
【請求項１９】
前記メッセージはディジタルオーディオフレームに含まれることを特徴とする請求項１８に記載のシステム。
【請求項２０】
前記メッセージは、前記ディジタルオーディオフレームに含まれている番組関連データに含まれることを特徴とする請求項１８に記載のシステム。
【請求項２１】
応答せよという前記装置のユーザに対する前記メッセージを送信するための前記手段は、前記サーバー手段及び／又は他のサーバー手段を含むことを特徴とする請求項１５に記載のシステム。
【請求項２２】
前記メッセージは、前記サーバー手段により提供されるページに含まれることを特徴とする請求項２０に記載のシステム。
【請求項２３】
前記サーバー手段は無線アプリケーション・プロトコル（ＷＡＰ）サーバーであることを特徴とする請求項１５から２１のいずれか一項に記載のシステム。
【請求項２４】
移動通信装置がラジオ放送番組の製作者に生のフィードバックを提供することを可能にするためのシステムであって：
ラジオ番組コンテンツのストリームを作るための手段と；
前記製作者から発せられた、応答せよという前記装置のユーザに対するメッセージを送信するための手段と；
前記メッセージに対する応答に関連するデータをサーバー手段から受信するための手段であって、前記データは前記ストリームがなお作られている間に受信される前記手段とを含むシステム。
【請求項２５】
ラジオ放送番組の製作者に生のフィードバックを提供するための移動通信装置であって、該装置は：
前記製作者からラジオ番組コンテンツのストリームを受信するための手段と；
前記製作者から発せられた、応答せよという前記装置のユーザに対するメッセージを受信するための手段と；
前記ストリームがなお受信されている間にフィードバックを提供するために該製作者に関連付けられているサーバー手段に応答を送信するための手段とを含むことを特徴とする装置。
【請求項２６】
前記ラジオ番組コンテンツのストリームを受信するための前記手段は、ディジタルラジオ放送（ＤＡＢ）を受信するための手段を含むことを特徴とする請求項２５に記載の装置。
【請求項２７】
前記メッセージを受信するための前記手段は、ディジタルラジオ放送（ＤＡＢ）を受信するための手段を含むことを特徴とする請求項２５又は２６に記載の装置。
【請求項２８】
前記メッセージを受信するための前記手段は、ラジオ放送を受信するための手段を含むことを特徴とする請求項２５に記載の装置。
【請求項２９】
前記メッセージを受信するための前記手段は、ラジオデータシステム（ＲＤＳ）データのための手段を含むことを特徴とする請求項２８に記載の装置。
【請求項３０】
前記メッセージを受信するための前記手段は、前記サーバー手段及び／又は他のサーバー手段にアクセスするための手段を含むことを特徴とする請求項２５に記載の装置。
【請求項３１】
ＷＡＰで可能なことを特徴とする請求項２５から３０のいずれか一項に記載の装置。
【請求項３２】
ハンドセットであることを特徴とする請求項２５から３１のいずれか一項に記載の装置。
【請求項３３】
ＰＤＡであることを特徴とする請求項２５から３２のいずれか一項に記載の装置。
【請求項３４】
調査を行うための方法であって、この方法は：
複数の選択可能な選択肢に関連する情報を含むメッセージを１つ以上の移動通信装置に送信し；
前記選択肢のうちから選択された１つの選択肢に関連するデータを各々含む応答を前記装置のうちの少なくとも幾つかから受信し；
前記応答から調査結果を作ることを含むことを特徴とする方法。
【請求項３５】
放送を行う方法であって：
移動通信装置を使ってメッセージを作り；
ラジオ放送局に関連付けられているサーバー手段に通信ネットワークを介して前記メッセージを送信し；
放送ネットワークを介して前記メッセージを放送することを含むことを特徴とする方法。
【請求項３６】
チャットの方法であって：
移動通信装置を使ってメッセージを作り；
ラジオ放送局に関連付けられているサーバー手段に通信ネットワークを介して前記メッセージを送信し；
放送ネットワークを介して前記メッセージを放送することを含むことを特徴とする方法。
【請求項３７】
前記メッセージを音声メッセージに変換し、前記放送ネットワークを介して前記音声メッセージを放送することを含むことを特徴とする請求項３５又は３６に記載の方法。
【請求項３８】
前記メッセージをデータとしてオーディオ信号と共に放送することを含むことを特徴とする請求項３５又は３６に記載の方法。
【請求項３９】
前記データの前記放送は、ラジオデータシステム（ＲＤＳ）データを送信することを含むことを特徴とする請求項３８に記載の方法。
【請求項４０】
前記データの前記放送は、複数のＲＤＳデータメッセージを送信することを含むことを特徴とする請求項３９に記載の方法。
【請求項４１】
周波数変調された（ＦＭ）信号を使って前記メッセージを放送することを含むことを特徴とする請求項３５から４０のいずれか一項に記載の方法。
【請求項４２】
前記応答の受信は、ショートメッセージサービス（ＳＭＳ）メッセージを受信することを含むことを特徴とする請求項３５から４１のいずれか一項に記載の方法。
【請求項４３】
チャットの方法であって：
通信ネットワークからチャットメッセージを受信し；
放送ネットワークを介して対応するメッセージを放送することを含むことを特徴とする方法。
【請求項４４】
該チャットメッセージの受信は、ショートメッセージサービス（ＳＭＳ）メッセージを受信することを含むことを特徴とする請求項４３に記載の方法。
【請求項４５】
前記対応するメッセージの放送は、ラジオデータサービス（ＲＤＳ）メッセージを送信することを含むことを特徴とする請求項４３又は４４に記載の方法。
【請求項４６】
前記対応するメッセージの放送は、複数のラジオデータサービス（ＲＤＳ）メッセージを送信することを含むことを特徴とする請求項４５に記載の方法。
【請求項４７】
チャットの方法であって：
放送ネットワークからチャットメッセージを受信し；
通信ネットワークを介してサーバー手段に返事のチャットメッセージを送信することを含むことを特徴とする方法。
【請求項４８】
チャットのための装置であって：
通信ネットワークからチャットメッセージを受信するための手段と；
放送ネットワークを介して対応するチャットメッセージを放送するための手段とを含むことを特徴とする装置。
【請求項４９】
チャットのための装置であって：
放送ネットワークからチャットメッセージを受信するための手段と；
通信ネットワークを介してサーバー手段に返事のチャットメッセージを送信するための手段とを含むことを特徴とする装置。
【請求項５０】
該通信ネットワークは移動通信ネットワークであることを特徴とする請求項４８又は４９のいずれか一項に記載の装置。
【発明の詳細な説明】
【技術分野】
【０００１】
本発明は、移動通信装置を用いて放送番組の提供者に生のフィードバックを提供する方法に関する。
【背景技術】
【０００２】
ラジオ番組制作者は、自分達と連絡して討論や世論調査やコンペに参加するように聴取者に勧めることが良くある。このプロセスは、普通、番組制作者が電話番号及び郵便の所番地を放送し、聴取者が彼らに電話をかけたり手紙を書いたりすることを必要とする。郵便コンペ及び世論調査は明らかに遅い。しかし、電話世論調査であっても、特に大勢の聴取者が係わる場合には即時性を欠く。コール・センターを設立したり自動コール・レジスターを構成するには時間がかかる。従って、世論調査は通常は番組が放送される前に計画される。このことは、自発性だけではなくて、世論調査を行える頻度も制限する。１つの番組が数時間も続いて２回以上の世論調査を行うのは希である。
【発明の開示】
【発明が解決しようとする課題】
【０００３】
本発明は、ラジオ放送番組の提供者にフィードバックを提供する進歩した方法を提供しようとするものである。
【０００４】
ラジオ番組の聴取者は、番組制作者に電話をかけて意見や挨拶の言葉を放送してもらいたいと思っている。現在、聴取者の電話は制作チームのメンバー或いは電話交換台のオペレータが受ける。電話はそのとき放送されるか、或いはメッセージが書き留められてラジオ司会者により読み上げられる。この手続のいずれをとるにしても、上記の様なサービスのためにラジオ局は相当の資源を提供しなければならない。
【０００５】
本発明は、聴取者がメッセージを聴取者一般に対して放送できるようにする進歩した方法を提供しようとするものでもある。
【０００６】
ラジオ局は、世論調査するとき孤立してはいない。移動通信装置のユーザは、しばしば他のユーザと連絡を取って自分の意見を評価したり選択肢を示したりする。このことは、普通は、他のユーザに電話をかけるか或いはテキストメッセージを他のユーザに送ることを必要とする。受信者がメッセージを受け取ったならば、受信者のハンドセットは普通はそのメッセージに応答する選択肢を提供する。しかし、これは新しいメッセージを書くことを必要とする。
【０００７】
本発明は、移動通信装置間でメッセージを交換する進歩した方法を提供しようとするものでもある。
【課題を解決するための手段】
【０００８】
本発明により、移動通信装置を用いて放送番組の製作者に生のフィードバックを提供する方法が提供され、この方法は、前記装置において、ラジオ番組コンテンツのストリームと、応答せよという前記装置のユーザのためのメッセージとを受け取ることと、前記ストリームがなお受信されつつある間にフィードバックを提供するために前記装置から製作者に関連付けられているサーバーコンピュータに応答を送信することとを含む。
【０００９】
放送番組は、ラジオ放送番組であってもテレビジョン放送番組であっても良い。
【００１０】
この方法は、番組コンテンツの前記ストリームから前記メッセージを抽出することを含んでいても良い。この方法は、第１ネットワークを介して番組コンテンツの前記ストリームを受信し、別の第２ネットワークを介して前記メッセージを受け取ることを含んでいても良い。別の第２ネットワークを介する前記メッセージの受け取りは、公衆地上移動通信ネットワークを介して前記メッセージを得ることを含んでいても良い。前記メッセージの受け取りは、複数の選択可能な選択肢に関連する情報を受け取ることを含んでいても良い。
【００１１】
この方法は、各選択肢にそれぞれの入力手段が割り当てられるように前記装置を前記メッセージに依存して構成することを更に含んでいても良い。前記応答の送信は、前記選択可能な選択肢のいずれか１つに関連する応答メッセージを送ることを含んでいても良い。
【００１２】
この方法は、複数の選択可能な選択肢に関連する情報を含む前記メッセージを１つ以上の移動通信装置に送り、前記選択肢のうちの選択された１つに関連するデータを各々含む応答を前記装置のうちの少なくとも幾つかから受け取り、前記応答から調査結果を作ることを含んでいても良い。この方法は、移動通信装置を用いてチャットメッセージを作成し、製作者に関連付けられているサーバー手段に通信ネットワークを介して前記チャットメッセージを送り、放送ネットワークを介して前記チャットメッセージを放送することも含んでいても良い。
【００１３】
この方法は、ユーザが電子トランザクションを行うことを更に含んでいても良い。
【００１４】
本発明により、移動通信装置を用いてラジオ放送番組の製作者に生のフィードバックを提供する方法が提供され、この方法は、ラジオ番組コンテンツのストリームを前記製作者から該装置へ送り、製作者から発せられた、応答せよという前記装置のユーザに対するメッセージを送信し、前記ストリームがなお送信されている間に前記製作者に関連付けられているサーバー手段で応答を受け取ることを含む。
【００１５】
この方法は、複数の選択可能な選択肢に関連する情報を含む前記メッセージを１つ以上の移動通信装置に送信し、前記装置の少なくとも幾つかから前記選択肢のうちの選択された１つに関連するデータを各々含む応答を受信し、前記応答から調査結果を作ることを含んでいて良い。
【００１６】
この方法は、移動通信装置を用いて別のメッセージを作成し、製作者に関連付けられたサーバー手段に通信ネットワークを介して前記別のメッセージを送信し、放送ネットワークを介して前記別のメッセージを放送することを含んでいて良い。
【００１７】
本発明により、移動通信装置がラジオ放送番組の製作者に生のフィードバックを提供することを可能にするシステムも提供され、このシステムは、該製作者から該装置へのラジオ番組コンテンツのストリームを作るための手段と、応答せよという前記装置のユーザに対する該製作者から発せられたメッセージを送信するための手段と、前記ストリームがなお作られている間に前記メッセージに対する応答を受信するためのサーバー手段とを含む。
【００１８】
応答せよという前記装置の前記ユーザに対する前記メッセージを送信するための手段は、ラジオシステムデータを作るための手段を含んでいて良い。応答せよという前記装置のユーザに対する前記メッセージを送信するための手段は、ディジタルオーディオ放送ネットワークを含んでいて良い。該メッセージはディジタルオーディオフレームに包含されていて良い。該メッセージは、前記ディジタルオーディオフレームに含まれている番組関連データに含まれていても良い。応答せよという前記装置のユーザに対する前記メッセージを送信するための手段は、該サーバー手段及び／又は別のサーバー手段を含んでいて良い。該メッセージは、該サーバー手段により提供されるページに含まれていて良い。該サーバー手段は、無線アプリケーションプロトコル（wireless application protocol（ＷＡＰ））サーバーであって良い。
【００１９】
本発明により、移動通信装置がラジオ放送番組の製作者に生のフィードバックを提供することを可能にするためのシステムも提供され、このシステムは、ラジオ番組コンテンツのストリームを作るための手段と、応答せよという前記装置のユーザに対する前記製作者から発せられたメッセージを送信するための手段と、前記メッセージに対する応答に関連するデータをサーバー手段から受信するための手段とを含んでおり、前記データは前記ストリームがなお作られている間に受信される。
【００２０】
本発明により、ラジオ放送番組の製作者に生のフィードバックを提供するための移動通信装置も提供され、この装置は、ラジオ番組コンテンツのストリームを前記製作者から受信するための手段と、応答せよという前記装置のユーザに対する前記製作者から発せられたメッセージを受信するための手段と、前記ストリームがなお受信されている間にフィードバックを提供するために製作者に関連付けられているサーバー手段へ応答を送信するための手段とを含む。
【００２１】
ラジオ番組コンテンツの前記ストリームを受信するための手段は、ディジタルラジオ放送を受信するための手段を含んでいて良い。前記メッセージを受信するための手段は、ディジタルラジオ放送を受信するための手段を含んでいて良い。前記メッセージを受信するための手段は、ラジオ放送を受信するための手段を含んでいて良い。前記メッセージを受信するための手段は、ラジオデータシステムデータのための手段を含んでいて良い。前記メッセージを受信するための手段は、前記サーバー手段及び／又は別のサーバー手段にアクセスするための手段を含んでいて良い。
【００２２】
この装置はＷＡＰで可能にされても良い。この装置はハンドセットであって良い。この装置はＰＤＡであっても良い。
【００２３】
本発明により、調査を行う方法も提供され、この方法は、複数の選択可能な選択肢に関連する情報を含むメッセージを１つ以上の移動通信装置に送信し、前記選択肢のうちの選択された１つに関連するデータを各々含む応答を前記装置のうちの少なくとも幾つかから受け取り、前記応答から調査結果を作ることを含む。
【００２４】
本発明により、放送をする方法も提供され、この方法は、移動通信装置を用いてメッセージを作成し、前記メッセージを通信ネットワークを介してラジオ放送局に関連付けられているサーバー手段に送り、前記メッセージを放送ネットワークを介して放送することを含む。
【００２５】
本発明により、チャットの方法も提供され、この方法は、移動通信装置を用いてメッセージを作成し、ラジオ放送局に関連付けられているサーバー手段に通信ネットワークを介して前記メッセージを送り、放送ネットワークを介して前記メッセージを放送することを含む。
【００２６】
この方法は、前記メッセージを音声メッセージに変換し、前記放送ネットワークを介して前記音声メッセージを放送することを含んでいても良い。この方法は、前記メッセージをオーディオ信号と共にデータとして放送することを含んでいても良い。前記データの放送は、ラジオデータシステムデータを送信することを含んでいても良い。前記データの放送は、複数のＲＤＳデータメッセージを送信することを含んでいても良い。
【００２７】
この方法は、周波数変調（ＦＭ）されている信号を用いて前記メッセージを放送することを含んでいて良い。前記応答の受け取りは、ショートメッセージサービス（ＳＭＳ）メッセージを受け取ることを含んでいて良い。
【００２８】
本発明により、チャットの方法も提供され、この方法は通信ネットワークからチャットメッセージを受け取り、対応するメッセージを放送ネットワークを介して放送することを含む。
【００２９】
チャットメッセージの受け取りは、ショートメッセージサービス（ＳＭＳ）メッセージを受け取ることを含んでいて良い。前記対応するメッセージの放送はラジオデータサービス（ＲＤＳ）メッセージを送信することを含んでいて良い。前記対応するメッセージの放送は、複数のＲＤＳメッセージを送信することを含んでいて良い。
【００３０】
本発明により、チャットの方法も提供され、この方法は、放送ネットワークからチャットメッセージを受け取り、通信ネットワークを介して返事のチャットメッセージをサーバー手段に送信することを含む。
【００３１】
本発明により、チャットのための装置も提供され、この装置は通信ネットワークからチャットメッセージを受け取るための手段と、対応するチャットメッセージを放送ネットワークを介して放送するための手段とを含む。
【００３２】
本発明により、放送ネットワークからチャットメッセージを受け取るための手段と、通信ネットワークを介してサーバー手段に返事のチャットメッセージを送信するための手段とを含むチャットのための装置も提供される。通信ネットワークは移動通信ネットワークであって良い。
【００３３】
添付図面を参照し、例を挙げて本発明の実施態様を説明する。
【発明を実施するための最良の形態】
【００３４】
第１実施態様
図１を参照すると、本発明の第１実施態様において、ラジオ番組製作者（例えばラジオ局１）は、ラジオ（図示されていない）と移動通信ハンドセットの形の多機能移動通信装置３により受信される好ましくは超短波（ＶＨＦ）周波数変調（ＦＭ）信号である信号を放送ネットワーク２を通して送信する。装置３は、ＧＳＭネットワーク等の公衆地上移動通信ネットワーク（ＰＬＭＮ）を通して移動通信装置及び固定通信装置（図示されていない）と通信することができる。
【００３５】
この実施態様では、ラジオ局１は、世論調査５があることをユーザに知らせ、ＰＬＭＮ４を通してサーバー６（この場合はＷＡＰサーバー）から質問表５を得るための情報をユーザに提供する。ユーザは、ＰＬＭＮ４を通して、自分の票を含めた回答７をサーバー６に送る。ラジオ局１は、サーバー６から票を集め、調査結果８を作る。
【００３６】
図２を参照すると、装置３は少なくとも２機能であって、無線アプリケーションプロトコル（ＷＡＰ）作動される移動電話機能とラジオ放送受信装置機能とを提供する。装置３は、マイクロフォン９と、スピーカー１０と、液晶表示装置（ＬＣＤ）１１と、キーパッド１２と内部アンテナエレメント１３とを含んでいる。キーパッド１２は、第１及び第２のソフトキー１２ａ、１２ｂと、２方向スクロールキー１２ｃと、英数字キー集合１２ｄとを含んでいる。
【００３７】
図３も参照すると、移動通信装置３の電気回路構成はマイクロコントローラ１４と、ＲＡＭ／ＲＯＭ１５と、フラッシュメモリ１６とを含んでいる。電気アナログ信号は、マイクロフォン９により作られ、増幅器１７により増幅される。同様に、アナログオーディオ信号は増幅器１８を通してスピーカー１０に供給される。マイクロコントローラ１４は、キーパッド１２から命令を受け取り、ＬＣＤ１１の動作を制御する。ユーザのアイデンティティーに関する情報は、ＧＳＭ  ＳＩＭカードの形のスマートカード１９で保持される。ＳＩＭカード１９は、マイクロコントローラ１４に結合されているＳＩＭカードホルダー２０に着脱可能に収容される。
【００３８】
ＰＬＭＮ４（図１）とやり取りされる通信ラジオ信号は、ｒ．ｆ．ステージ２１を通して符号器／復号器（単にコーデックと称されることが多い）２２に接続されたアンテナエレメント１３により送受信され、このコーデックはマイクロコントローラ１４の制御下で信号を処理するように構成されている。
【００３９】
放送ネットワーク２（図１）からのラジオ放送信号は、チューナー２４に接続されている内部アンテナ２３により受信される。単一のアンテナを使ってｒ．ｆ．ステージ２１とチューナー２４とに信号を供給しても差し支えないことが理解されよう。チューナー２４をｒ．ｆ．ステージ２１に統合できることも理解されよう。装置３は再充電可能なバッテリー２５又は電源（図示されていない）から給電される。
【００４０】
装置３が移動電話ハンドセットとして使用されるとき、コーデック２２は、マイクロフォン増幅器１７からアナログ信号を受信し、これを送信に適する形にディジタル化し、それをアンテナエレメント１３を通してＰＬＭＮ４（図１）へ送るべくｒ．ｆ．ステージ２１に供給する。同様に、ＰＬＭＮ４から受信された信号はアンテナエレメント１３を通して供給されてｒ．ｆ．ステージ２１により復調され、アナログ信号を作るようにコーデック２２に供給され、このアナログ信号は増幅器１８を通してスピーカー１０に供給される。
【００４１】
装置３がラジオとして使用されるときには、放送ネットワーク２（図１）から受信された信号は、アンテナ２３を通してチューナー２４に供給され、ここで復調されて増幅器１８を通してスピーカー１０に供給される。
【００４２】
この様に、移動通信装置３は、音声サービス及びデータサービス用の移動通信ハンドセットとして使えると共にラジオとしても使える。これらの機能を別々に或いは同時に実行することができる。例えば、ユーザはラジオを聞きながらテキストメッセージを送ることができる。
【００４３】
再び図１を参照すると、装置３は、遠方のサーバー６，２６からデータを受け取るクライアントとして動作し、且つＰＬＭＮ４を通して、遠方のサーバー６，２６に接続するための代理サーバーとして動作するゲートウェイ２７と通信するか或いは遠方のサーバー６，２６と直接通信するようにも構成されている。例えば、ＷＡＰで可能なシステムについては、ゲートウェイ２７へのアクセスはゲートウェイ２７に関連する電話番号をダイヤルすることにより提供されるけれども、例えばＧＰＲＳ及びＵＭＴＳについては他の通信手法を使うことができる。サーバー２６は、特定のネットワークアドレス又は汎用資源ロケーター（ＵＲＬ）を有する個別ホームページを各々有する個々のサイトに対応するデータを提供することができる。ＰＬＭＮ４を通して、移動クライアントとして動作する装置３へ、ＷＭＬで該データを提供することができる。ＷＭＬを使う代わりに、ゲートウェイ２７を要すること無くデータをサーバー２６からＰＬＭＮ４を通して装置３へＸＨＴＭＬで提供することができる。ＸＨＴＭＬはＨＴＭＬ４．０の後続バージョンである。
【００４４】
図１，２及び３を参照すると、装置３はマイクロブラウザを動作させる。マイクロブラウザを動作させるためのソフトウェアは、マイクロコントローラ１４によって作動されてＬＣＤ１１で出力を提供するために、図３に示されているフラッシュメモリ１６で保持できる。以下で更に詳しく説明するように、装置３は、ＰＬＭＮ４を通してラジオ局１に関連しているサーバー６にアクセスするために使用できる。ＷＡＰセション中、装置３は世論調査の形のメッセージをダウンロードして応答を送信する、即ち票を投じることができる。
【００４５】
図４を参照すると、ラジオ局１は、マイクロフォン２９、ミュージックプレイヤー３０、及びミキシングデスク３１を備えたスタジオ２８を含んでいる。スタジオ２８はパーソナルコンピュータ３２も備えており、これはサーバーコンピュータ６に接続されている。サーバーコンピュータ６は、ラジオ局１の構内にあっても遠方に位置していても良い。サーバー６は、モデム（図示されていない）を介してＰＳＴＮ３３に接続される。ＰＳＴＮ３３は、ＰＬＭＮ４に接続されている。サーバー６はＰＬＭＮ４に直接接続されても良い。
【００４６】
ラジオ番組はスタジオ２８で制作され、オーディオコンテンツ３４のストリームを含む。オーディオコンテンツ３４は、音声、音楽及びその他のオーディオ信号を含む。マイクロフォン２９とミュージックプレイヤー３０とはオーディオ信号３５を作り、これはミキシングデスク３１で処理され混合される。オーディオ信号３５は、パーソナルコンピュータ３２により作られても良い。その結果としての、オーディオコンテンツ３４を具現する信号は、ネットワーク２に伝えられて、放送領域全体にわたって複数の送信サイト（図示されていない）から、例えば１０２ＭＨｚの搬送波信号を用いて２００ｋＨｚで放送される。ラジオデータシステム（ＲＤＳ）データ３６もネットワーク２に伝えて放送することができる。
【００４７】
聴取者がラジオ番組と相互作用できるようにする方法を次に説明する。
【００４８】
ラジオ番組司会者は、誰が次の市長になるべきかに関する世論調査を行うことを自発的に決める。
【００４９】
図５ａを参照すると、制作チームのメンバーは、パーソナルコンピュータ３２を用いてサーバーコンピュータ６にアクセスしてテンプレートＸＨＴＭＬページ３７を修正することにより調査表を準備する。ページ３７は、質問を入力するための第１ダイアログ・ボックス３８と、考えられる答えを入力するための複数の付加的なダイアログ・ボックス３９ａ，３９ｂ，３９ｃ，３９ｄとを含む。
【００５０】
図５ｂを参照する。制作チームのメンバーは“貴方は誰が市長になるべきだと思いますか？”という調査質問を第１ダイアログ・ボックス３８に入力し、二人の候補者の名前を第１ダイアログ・ボックス３９ａ及び第２ダイアログ・ボックス３９ｂに入力する。完了すると、制作チームのメンバーは“終了”４０を選択する。
【００５１】
図５ｃを参照する。ウェブページ４１は、アクセス可能な状態のサーバーコンピュータ６で掲示される。ウェブページ４１は、ＸＨＴＭＬフォーマットであって良くて、装置３（図１）によりマイクロブラウザを用いて見られるように構成される。ウェブページ４１は、調査質問及び答えに関するテキスト４２ａと、装置３を、特に該装置のユーザインターフェースを構成するためのスクリプト４２ｂとを含んでいる。後により詳しく説明するように、このページがアクセスされたとき、ユーザはキーパッド１２（図２）を用いて投票することができる。この票は、サーバーコンピュータ６に伝えられ、そこで記録される。
【００５２】
再び図４を参照する。司会者は、放送中に、即ちオーディオコンテンツ３４のストリームが送信されている間に、世論調査が行われることを発表し、そのラジオ番組に関連づけられていてサーバーコンピュータ６をホストとするウェブサイトにアクセスするように聴取者に要請する。この発表は、そのウェブサイトのＵＲＬを含み、また電話番号を含むこともできる。その代わりに、またはそれに加えて、放送ネットワーク２はＦＭ信号を送信するので、ＵＲＬはラジオデータサービス（ＲＤＳ）データ３６として包含される。従って、パーソナルコンピュータ３２はＵＲＬをデータストリングとして放送ネットワーク２に送る。データは、ラジオ局１に割り当てられているけれどもオーディオコンテンツを送信するためには使われない無線周波数スペクトルの部分で送信される。この例では、スペクトルのその部分は５７ｋＨｚ帯域を含む。該データはラジオテキスト（ＲＴ）符号化されて良い。
【００５３】
次に、ユーザがラジオ番組を聞き、番組制作者と相互作用するプロセスを説明する。
【００５４】
図６において、第１及び第２のソフトキー１２ａ，１２ｂ（図２）の機能を示す第１及び第２の説明文４３ａ，４３ｂを含む出力がＬＣＤ１１で表示される。ユーザは、スクロールキー１２ｃ及び第１ソフトキー１２ａを用いて機能メニューから“ラジオ”４４を選択する（ステップＳ１及びＳ２）。ユーザは、周波数を走査する選択肢４５を選択することにより、またはプリセット周波数を選ぶ選択肢４６を選択することによりラジオ局１に同調する（ステップＳ３）。
【００５５】
ユーザが周波数を走査する方を選べば、無線スペクトルの表示４７が提示される（ステップＳ４）。ユーザは、周波数識別名４８が指示する現行の周波数（この例では９５ＭＨｚ）を選ぶか、または他の周波数を見つけるためにスペクトルを走査することができる。ユーザは、走査を行うのであれば、第１ソフトキー１２ａ及び第２ソフトキー１２ｂをそれぞれ使って、もっと高い周波数またはもっと低い周波数に移ることができる（ステップＳ５）。走査中、強いものがチューナー２４（図３）により検出されるか又はユーザが止まって待機するならば、表示装置１１は、新しい周波数を選ぶか或いは調整し直す選択肢をユーザに示す（ステップＳ６）。この例では、ユーザは、適切な周波数（この例では１０２ＭＨｚ）を発見し、この周波数を選択する。装置３はこの周波数に同調され、信号がスピーカー１０により出力され、周波数識別名４８とサービス識別名４９がＬＣＤ１１で示される。局識別名４９（この例では“１０２ＦＭ”）はＲＤＳを用いて提供される。
【００５６】
ユーザがプリセットされている局を使用する選択肢４６を選ぶと（ステップＳ８）、局５０のリストがユーザに提示され、ユーザは、所望の局を発見するまでこれをスクロールする（ステップＳ９）。
【００５７】
ラジオを聞きながら、ラジオ局１が該ラジオ局のウェブサイトで世論調査を行っていることを聞く。このウェブサイトのＵＲＬが司会者によって発表される。装置３もＲＤＳを通してＵＲＬを受け取る。マイクロコントローラ１４（図３）は、ＲＤＳデータがＵＲＬを含んでいることを知り、図７に示されているようにこのＵＲＬをリンク５１としてＬＣＤ１１で表示する（ステップＳ１０）。
【００５８】
図７を参照する。ユーザーはリンク５１を選択し（ステップＳ１１）、サーバー６からウェブページ４１をダウンロードする。“貴方は誰が市長になるべきだと思いますか？”５２という質問と、選択肢“１．候補者Ａ”５３及び“２．候補者Ｂ”５４とがユーザに提示される（ステップＳ１２）。説明文４３ａ，４３ｂは、制御スクリプト４２ｂによりそれぞれ定められる選択肢“１”及び“２”を示す。ユーザは、第１ソフトキー１２ａを押すことにより選択肢５３を選択する。その代わりに、キーパッド１２の“１”を押すことによって同じ選択を行うことができる。ＬＣＤ１１は、メッセージ５５をユーザに提示して、自分の選択を確認するかどうかユーザに尋ねる（ステップＳ１３）。このステップを実行する必要はないことが理解されよう。候補者のアイデンティティーを示す応答がサーバー６に返される。その応答は、例えば装置３のアイデンティティーに関する情報などの、他の情報を含んでいて良い。応答は、ＸＨＴＭＬ文書、ＳＭＳメッセージ、ｅ−メール又は他のデータメッセージであって良い。装置３は、応答が送られたという報告５６をユーザに対して表示し（ステップＳ１４）、表示装置に戻って周波数４８と、もし使用可能ならばサービス識別名４９とを示す。ユーザが投票をしている間、依然としてラジオを操作できることが理解されよう。
【００５９】
例えばＲＤＳデータが受信されていないためにユーザがＵＲＬを手操作で入力することを望むならば、ユーザは、第１ソフトキー１２ａとスクロールキー１２ｃとを作動させて機能メニューからＷＡＰサービス５７を選択することができる（ステップＳ１６）。ユーザは、テキスト・エディター５９を使ってＵＲＬを入力する選択肢５８を選択する（ステップＳ１７及びＳ１８）。ユーザは、サーバー６の電話番号を入力することもできる。その代わりに、ユーザは、ＵＲＬを保持するブックマークを選択することができ、また随意に、ウェブサイトの電話番号を選択することができる。ステップＳ１１のところに示されているように、ウェブサイトとの接続が確立される。
【００６０】
図８を参照する。候補者を選択する代替方法（ステップＳ１２）は候補者５３，５４のリストを含み、ユーザは、スクロールキー１２ｃを使ってこのリストをスクロールし、第１説明文４３ａにより示されているように第１ソフトキー１２ａを使って選択することができる（ステップＳ１２ａ）。前述したように、選択を確認することができる（ステップＳ１３）。この方法は、３つ以上の選択肢をユーザに提示する調査に適している方が良い。
【００６１】
例えばキーパッド１２の“１”を押すことによる、アクセスキー機能を使用する選択肢の選択は、使用可能であって、ＷＡＰ仕様で特定されており、これはhttp://www.wapforum.org又はＷＡＰフォーラム、２５７０Ｗ．Ｅｌ  Ｃａｍｉｎｏ・リアル・シュート３０４、マウンテンビュー、カリフォルニア９４０４０−１３１３、米国（ＷＡＰ  Ｆｏｒｕｍ、２５７０Ｗ．Ｅｌ  Ｃａｍｉｎｏ  Ｒｅａｌ  Ｓｕｉｔｅ  ３０４，Ｍｏｕｎｔａｉｎ  Ｖｉｅｗ、ＣＡ  ９４０４０−１３１３ＵＳＡ）から入手することができる。
【００６２】
次に、図９を参照し、サーバー６（図１）の動作を説明する。
【００６３】
ウェブページ４１（図５ｃ）が掲示されるとき、ｎ1＝ｎ2＝０となるように１対のカウンタが初期化される（ステップＳ１９）。サーバー６は、ページ４１がアクセスされるのを待ち、リクエストされるとページ４１を送信する（ステップＳ２０及びＳ２１）。サーバー６は応答を待つ。応答を受け取ると、第１候補者に票が投じられたのか調べる（ステップＳ２３）。もしそうならば、第１候補者に関連付けられているカウンタｎ1が１だけインクリメントされる（ステップＳ２４）。そうでなければ、サーバー６は票が第２候補者に投じられたのか調べ（ステップＳ２５）、もしそうならば第２候補者のカウンタに１を加える（ステップＳ２６）。その後、サーバー６は、自分が結果をコンピュータ３２に報告するように命令されているか調べる（ステップＳ２７）。もしその様に命令されているならば、カウンタの値を報告する。そうでなければ、サーバー６は、ウェブページ４１へのアクセスを監視し続ける。
【００６４】
制作チームのメンバーは、結果を報告するようにサーバー６（図１）に命令する。これはラジオの司会者に結果を知らせ、司会者は結果を放送で発表する。
【００６５】
複数選択回答を必要とするコンペに前述した方法を使えることが理解されよう。この方法は、マーケティング、販売促進又は販売の目的に使用できる。これを、例えば、ラジオ局１により放送されつつある歌を含むアルバムを売り込むために使用することができる。従って、メッセージは、ＣＤ、テープ又は他の音楽担体を、聴取者が即座に応えたならば減額された値段で購入したいという申し込みを含んでいても良い。この場合、サーバーは、販売促進のために設置されても良く、また広告会社或いはレコード会社と提携しても良い。ユーザは、装置３を電子財布として使ってまたは電子財布と関連させて使って電子取引を行うことができる。
【００６６】
２つ以上のサーバーコンピュータを使えることが理解されよう。例えば、第１サーバーコンピュータを使って前記質問表を提供し、第２サーバーコンピュータを使って票を受け取ることができる。
【００６７】
第２実施態様
図１０を参照する。本発明の第２実施態様において、制作ユニット６０に置かれているラジオ番組製作者は、ラジオ局であっても良いし、そうでなくても良くて、ディジタルラジオ受信機（図示されていない）及び多機能通信装置６２により受信されるように単一周波数（ＳＦＮ）ネットワーク６１を通してディジタルオーディオ放送（ＤＡＢ）を用いて番組を送信する。装置６２は、ＧＳＭネットワーク等のＰＬＭＮ６３を通して移動通信装置及び固定通信装置（図示されていない）と通信することができる。
【００６８】
この実施態様では、装置６２は、放送ネットワーク６１を通して質問表６４を受け取るが、ＰＬＭＮ６３を通して回答６５を送る。ラジオ番組製作者は、回答を受け取って調査結果６６を作る。
【００６９】
図１１を参照する。製作ユニット６０は、マイクロホン６７と、ミュージックプレイヤー６８と、ミキシングデスク６９と、オーディオ符号器７０と、チャネル符号器７１と、パーソナルコンピュータ７２とを備えている。パーソナルコンピュータ７２は、サーバーコンピュータ７３にアクセスするために使われる。サーバーコンピュータ７３は、ＰＬＭＮ６３に接続するためにモデム（図示されていない）を用いてＰＳＴＮ７４に接続される。
【００７０】
ラジオ番組が作られ、ラジオ番組はオーディオコンテンツ７５のストリームを含む。オーディオコンテンツ７５は、談話、音楽及び他のオーディオ信号を含む。マイクロホン６７とミュージックプレイヤー６８とはオーディオ信号７６を作り、これらの信号はミキシングデスク６９で処理され混合される。オーディオ信号７６は、パソコン７２でも作れる。ミュージックプレイヤーは、例えばＣＤトラック番号又はアーチストのアイデンティティーなどに関する情報データ７７を提供することができる。
【００７１】
図１２を参照する。オーディオ符号器７０はＤＡＢオーディオフレーム７８を作る。各オーディオフレーム７８は、ヘッダ７９と、ビット割り当て８０と、スケールファクター８１と、オーディオサブバンドサンプル８２と、番組関連データ（ＰＡＤ）８３と、スケールファクター８４と、巡回冗長符号化（ＣＲＣ）８５とを含む。チャネル符号器７１は、オーディオフレーム７８に対してエネルギー分散スクランブリング、畳み込み符号化、及び時間インターリービングを行わせる。符号化されインターリービングされたデータ８６は送信ネットワークの残りの部分６１’に渡され、ここで補助情報チャネル（ＡＩＣ）及びパケットモード・データストリームモード・データと共に他の番組からのオーディオチャネルデータと多重化されてメインサービスチャネル（ＭＳＣ）を形成する。これは、高速情報チャネルと多重化されて、直交周波数分割多重化（ＯＦＤＭ）及びその後の放送のために複数の送信局に分配される。ラジオ番組は、単一の周波数ブロックを用いて送信されることになる複数のラジオ番組及びサービスのうちの１つであり、これは一般に“マルチプレックス”と称される。イギリスでは、２２５．６４８ＭＨｚの国営ラジオのためのものを含む複数のマルチプレックスが割り当てられている。
【００７２】
ＤＡＢ及び技術情報の大要を、ｈｔｔｐ：／／ｗｗｗ．ｗｏｒｌｄｄａｂ．ｏｒｇで、或いはドイツ国Ｄ−３１１３２ヒルデスハイム郵便私書箱７７７７７７、ローベルトボッシュマルチメディアシステムＧｍｂＨ気付けプロモーションエンジニア・Ｄｒ．ウォルフラム・ティッツェ（Ｐｒｏｍｏｔｉｏｎ  Ｅｎｇｉｎｅｅｒ，Ｄｒ．Ｗｏｌｆｒａｍ  Ｔｉｔｚｅ，ｃ／ｏ  Ｒｏｂｅｒｔ  Ｂｏｓｃｈ  Ｍｕｌｔｉｍｅｄｉａ−Ｓｙｓｔｅｍｅ  ＧｍｂＨ，Ｐ．Ｏ．Ｂｏｘ  ７７７７７７、Ｄ−３１１３２  Ｈｉｌｄｅｓｈｅｉｍ，Ｇｅｒｍａｎｙ）から入手することができる。
【００７３】
図１３及び１４を参照する。装置６２は少なくとも二重機能であって、移動電話機能とディジタルオーディオ放送受信装置機能とを提供する。この例では、装置６２はＷＡＰで可能な。装置６２は、マイクロフォン８７と、スピーカー８８と、液晶表示装置（ＬＣＤ）８９と、キーパッド９０と、内部アンテナエレメント９１とを含む。キーパッド９０は、第１及び第２のソフトキー９０ａ，９０ｂと、双方向スクロールキー９０ｃと、英数字キーの集合９０ｄとを含む。
【００７４】
図１４を参照する。移動通信装置６２の電気回路構成は、マイクロコントローラ９２と、ＲＡＭ／ＲＯＭ９３と、フラッシュメモリ９４とを含む。電気アナログ信号がマイクロフォン８７により作られ、増幅器９５を用いて増幅される。同様に、アナログオーディオ信号が増幅器９６を通してスピーカー８８に供給される。マイクロコントローラ９２は、キーパッド９０から命令を受け取り、ＬＣＤ８９の動作を制御する。ユーザのアイデンティティーに関する情報は，ＧＳＭ−ＳＩＭカードの形のスマートカード９７に保持されている。ＳＩＭカード９７は、マイクロコントローラ９２に接続されているＳＩＭカードホルダー９８に着脱可能に収容される。
【００７５】
ＰＬＭＮ６３（図１０）とやり取りされる通信無線信号は、ｒ．ｆ．ステージ９９を通してコーデック１００に接続されているアンテナエレメント９１によって送受信され、このコーデックは、マイクロコントローラ９２の制御下で信号を処理するように構成されている。
【００７６】
ＳＦＮ放送ネットワーク６１（図１０）からのＤＡＢ信号は、１つのマルチプレックスに同調し選択するためのＤＡＢ無線インターフェース１０２に接続されている内部アンテナ１０１を用いて受信される。インターフェース１０２の出力は復号器１０３に供給される。復号器１０３は、ＭＳＣ及びＦＩＣを引き出すためのＯＦＤＭ復調器（図示されていない）と、伝送エラーを除去するためのチャネル復号器（図示されていない）と、オーディオ信号を作るためのオーディオ復号器とを含む。ｒ．ｆ．ステージ９９とＤＡＢ無線インターフェース１０２とに信号を供給するために単一のアンテナを使用できることが理解されよう。ＤＡＢ及びＧＳＭ無線インターフェース９９，１０２を単一のユニットに統合できることも理解されよう。ハンドセット６２は、再充電可能なバッテリー１０４又は電源（図示されていない）により給電される。
【００７７】
装置６２が移動電話ハンドセットとして使われるときには、コーデック１００は、マイクロフォン増幅器９５からアナログ信号を受け取り、それらを伝送に適する形にディジタル化し、それらをアンテナエレメント９１を通してＰＬＭＮ６３（図１０）へ送信するためにｒ．ｆ．ステージ９９に供給する。同様に、ＰＬＭＮ３８（図１０）から受信された信号は、アンテナエレメント９１を通してｒ．ｆ．ステージ９９により復調されるように供給され、コーデック１００に供給されてアナログ信号を作り、このアナログ信号は増幅器９６を通してスピーカー８８に供給される。
【００７８】
装置６２がＤＡＢ受信装置として使われるときには、ＳＦＮ６１（図１０）から受信された信号はアンテナ１０１を通してインターフェース１０２に供給され、ここでマルチプレクサが選択されて復号器１０３に供給される。オーディオ信号は増幅されてスピーカー８８に供給されるが、ＰＡＤ及びＦＩＣで受信されたデータはマイクロコントローラ９２に供給される。
【００７９】
この様に、移動通信装置６２は、音声及びデータサービス用の移動通信ハンドセットとして、またＤＡＢ受信装置として使用できる。これらの機能の集合は、別々に或いは同時に実行できる。例えば、ユーザは、ラジオを聞きながらテキストメッセージを送ることができる。
【００８０】
装置６２は、遠方のサーバーからデータを受け取り、またＰＬＭＮ６３（図１０）を通して、遠方のサーバーと接続するためのプロキシ・サーバーとして動作するゲートウェイ（図示されていない）と通信するか、または遠方のサーバーと直接通信するクライアントとして動作するようにも構成される。例えば、ＷＡＰで可能なシステムでは、ゲートウェイへのアクセスはゲートウェイに関連付けられている電話番号をダイヤルすることにより提供されるが、例えばＧＰＲＳ及びＵＭＴＳのためには他の通信手法を使用することができる。サーバー（図示されていない）は、特定のネットワークアドレス又は汎用資源ロケーター（ＵＲＬ）を有する個別ホームページを各々有する個々のサイトに対応するデータを提供することができる。データは、ＰＬＭＮ６３（図１０）を通して、移動クライアントとして動作する装置６２にＷＭＬで提供されても良い。ＷＭＬを使う代わりに、データをＸＨＴＭＬでサーバー（図示されていない）からＰＬＭＮ６３（図１０）を通して、ゲートウェイを要することなく装置６２に提供することができる。ＸＨＴＭＬはＨＴＭＬ４．０の後続バージョンである。
【００８１】
装置６２は、マイクロブラウザを動作させる。マイクロブラウザを動作させるためのソフトウェアは、マイクロコントローラ９２により動作させられて出力を表示装置８９に提供するために、図１４に示されているフラッシュメモリ９４に保持されて良い。
【００８２】
ラジオ番組の司会者は、聴取者のお気に入りの色に関して意見調査を行うことを自発的に決める。
【００８３】
図１５ａを参照する。制作チームのメンバーがパーソナルコンピュータ７２（図１１）を使って質問表を作る。この例では質問表はＸＨＴＭＬページとして提示されるが、ＳＭＳメッセージ等の異なるフォーマットで質問表を提示できることが理解されよう。チームのこのメンバーはテンプレートＸＨＴＭＬページ１０４を修正する。ページ１０４は、質問を入力するための第１ダイアログ・ボックス１０５と、可能な答えを入力するための複数の追加ダイアログ・ボックス１０６ａ，１０６ｂ，１０６ｃ，１０６ｄとを含む。
【００８４】
図１５ｂを参照する。製作チームのメンバーは、調査質問“貴方のお気に入りの色は何色ですか？”を第１ダイアログ・ボックス１０５に入力し、第１及び第２の追加ダイアログ・ボックス１０６ａ，１０６ｂに２つの色の名前を入力する。完成すると、製作チームのメンバーは“終了”１０７を選択する。パーソナルコンピュータ７２（図１１）は、時刻記録等の別の情報や、電話番号、ｅ−メールアドレス及び／又はＵＲＬ等のサーバーコンピュータのアイデンティティーに関連する情報を付け加える。
【００８５】
図１５ｃを参照する。完成したページ１０８は、調査質問に関連するテキスト１０９ａと答とを含み、また装置６２を、特にこの装置のユーザーインターフェースを構成するためのスクリプト１０９ｂも含む。
【００８６】
図１６を参照する。ページ１０８は、ＰＡＤ８３（図１１）に包含され、オーディオ符号器７０に供給される（ステップＳ２９）。ページ１０８は、繰り返し送ることができる。パーソナルコンピュータ７２（図１１）を使って、チームのメンバーはサーバーコンピュータ７３（図１１）に票を受け取ることになると知らせる（ステップＳ３０）。後にもっと詳しく説明するように、質問表６４（図１０）を含むページ１０８が聴取者により受信されると、聴取者はキーパッド９０を使って投票することができる。票６５（図１０）は、サーバーコンピュータ７３（図１１）に送られ、ここで記録される。
【００８７】
ユーザがディジタルラジオ番組を聞いて番組制作者と対話するプロセスについて次に説明する。
【００８８】
図１７において、第１及び第２のソフトキー９０ａ，９０ｂ（図１３）の機能を示す第１及び第２の説明文１１０ａ，１１０ｂを含む出力がＬＣＤ８９で表示される。ユーザは、スクロールキー９０ｃと第１ソフトキー９０ａとを使って機能メニューから“ディジタルラジオ”１１１を選択する（ステップＳ３１及びＳ３２）。ユーザは、前もって定められている局１１２のリストから局を選択する（ステップＳ３３及びＳ３４）。或いは、サービスプロバイダのリストがＭＳＣで一般データとして送られてＬＣＤ８９で表示される。装置６２は、マルチプレックスから選ばれた番組を選択してオーディオ信号を増幅器９６（図１４）に供給する。サービス識別名１１３がＬＣＤ８９で表示される（ステップＳ３５）。
【００８９】
図１８を参照する。メッセージが受信されたという通知１１４がＬＣＤ８９上に表示される（ステップＳ３６）。ユーザはそのメッセージを読もうと決める。マイクロコントローラ９２（図１４）は、マイクロブラウザをロードし、調査質問“貴方のお気に入りの色は何色ですか？”１１５を、調査試験１０９ａにより定められている可能な答え“１．赤”１１６及び“２．青”１１７と共に表示する（ステップＳ３７）。説明文１１０ａ，１１０ｂは、制御スクリプト１０９ｂにより定められている選択肢“１”及び“２”を示す。ユーザは第１ソフトキー９０ａ（図１３）を押すことにより“赤”を選択し、ＬＣＤ８９は、ユーザが自分の選択を確認するか否かユーザに尋ねるメッセージ１１８を提示する（ステップＳ３８）。票が投じられたという通知１１９が表示される（ステップＳ３９）。マイクロブラウザは閉じられ、ハンドセットは通常のＤＡＢ動作を再開する（ステップＳ４０）。
【００９０】
装置６２は標をｅ−メールメッセージとしてサーバーコンピュータ７３（図１１）に送るが、そのｅ−メールアドレスはページ１０８に含まれている。各選択肢に異なるｅ−メールアドレスが割り当てられており、例えば赤にはoption1@102FM.com、青にはoption2@102FM.comが割り当てられている。或いは、票を同じｅ−メールアドレスに送り、票を抽出することができる。ＳＭＳ、ＷＭＬ又はＸＨＴＭＬ文書を含む他のタイプのデータメッセージを用いて票を送ることもできる。
【００９１】
次にサーバー７３（図１１）の動作を説明する。
【００９２】
図１９を参照する。１対のカウンターはｎ1＝ｎ2＝０などにセットされる（ステップＳ４１）。サーバー７３は応答を待つ（ステップＳ４２）。応答を受け取ると、第１の色に票が投じられているか調べる（ステップＳ４３）。もしそうならば、色ｎ1に関連づけられているカウンターが１だけインクリメントされる（ステップＳ４４）。そうでなければ、サーバー７３は票が第２の色に投じられているか調べ（ステップＳ４５）、もしそうならば第２の色のカウンターに１を加える（ステップＳ４６）。その後、サーバー７３は、結果をコンピュータ７３（図１１）に報告するように命じられているか否か調べる（ステップＳ４７）。もしその様に命じられていれば、カウンターの値を報告する。そうでなければ、サーバー７３は、受信されたメッセージを監視し続ける。
【００９３】
制作チームのメンバーは、パーソナルコンピュータ７２を使ってカウンターを調べることができる。該メンバーは、結果をラジオの司会者に知らせ、司会者は結果を放送で発表する。
【００９４】
質問表は、ＰＡＤを用いて送られなくても良くて、連続的ストリームの形で或いはパケットモードで一般的データとして別のサービスとして包含されても良いことが理解されよう。或いは、質問表はＦＩＣの一部分として送信されても良い。これらの場合には、質問表はネットワーク６１‘の残余の部分に転送されて符号化され且つ多重化される。
【００９５】
更に、票をＳＭＳメッセージ等のいろいろなフォーマットで送っても良いことも理解されよう。
【００９６】
第３実施態様
図２０を参照する。本発明の第３実施態様において、第１移動通信装置１２０は、ＧＳＭネットワーク等のＰＬＭＮ１２２を通して、第２装置１２１を含む他の移動通信装置の調査を行う。
【００９７】
この実施態様では、第１装置１２０は、ＳＭＳを用いて質問表１２３を作成して送る。第２装置１２１はＳＭＳを用いて回答１２４を送る。
【００９８】
図２１を参照する。各装置１２０，１２１は、マイクロフォン１２５と、スピーカー１２６と、液晶表示装置（ＬＣＤ）１２７と、キーパッド１２８と、内部アンテナエレメント１２９とを含んでいる。キーパッド１２８は、第１及び第２のソフトキー１２８ａ，１２８ｂと、双方向スクロールキー１２８ｃと、英数字キーのセット１２８ｄとを含んでいる。
【００９９】
図２２も参照すると、各移動通信装置１２０，１２１の電気回路構成は、マイクロコントローラ１３０と、ＲＡＭ／ＲＯＭ１３１と、フラッシュメモリ１３２とを含んでいる。電気アナログ信号がマイクロフォン１２５により作られ、増幅器１３３を用いて増幅される。同様に、アナログオーディオ信号が増幅器１３４を通してスピーカー１２６に供給される。マイクロコントローラ１３０は、キーパッド１２８から命令を受け取り、ＬＣＤ１２７の動作を制御する。ユーザのアイデンティティーに関する情報は、ＧＳＭ  ＳＩＭカードの形のスマートカード１３５に保持されている。ＳＩＭカード１３５は、マイクロコントローラ１３０に接続されているＳＩＭカードホルダー１３６に着脱可能に収容される。
【０１００】
ＰＬＭＮ１２２（図２０）とやり取りされる通信無線信号は、ｒ．ｆ．ステージ１３７を通してコーデック１３８に接続されているアンテナエレメント１２９によって送受信され、このコーデックは、マイクロコントローラ１３０の制御下で信号を処理するように構成されている。各ハンドセット１２０，１２１は、再充電可能なバッテリー１３９又は電源（図示されていない）により給電される。
【０１０１】
各装置１２０，１２１が使用されるとき、コーデック１３８は、マイクロフォン増幅器１２３からアナログ信号を受け取り、これを送信に適する形にディジタル化し、これを送信のためにｒ．ｒ．ステージ１３７に供給し、アンテナエレメント１２９を通してＰＬＭＮ１２２に送信する。同様に、ＰＬＭＮ１２２から受信された信号は、アンテナエレメント１２９を通して供給されてｒ．ｆ．ステージ１３７により復調され、増幅器１３４を通してスピーカー１２６に供給されるアナログ信号を作るためにコーデック１３８に供給される。
【０１０２】
次に、第１ユーザー（アリス）が質問表を作って送信する方法を説明する。
【０１０３】
図２３において、第１及び第２のソフトキー１２８ａ，１２８ｂの機能を示す第１及び第２の説明文１４０ａ，１４０ｂを含む出力がＬＣＤ１２７で表示される。アリスは、自分の友達と一緒に映画館に行く計画を立て、何枚のチケットを買うべきか知りたいと思う。彼女は、友達が自分達のチケットをアリスに買ってもらいたいか尋ねる質問表を友達に送ろうと決める。アリスは、機能メニューから“メッセージ”１４１を選択し、（ステップＳ４１及びＳ４２）、“質問表”メニュー１４２を選択し（ステップＳ４３）、質問表を書く選択肢１４３を選ぶ（ステップＳ４４）。
【０１０４】
アリスは始めに質問表を作る。英数字キーパッド１２８ｄを使って、彼女は“私が貴方のチケットを入手する？”などの調査質問１４４を書く（ステップＳ４５）。次に彼女は利用可能な選択肢の数を示す。この例では、選択肢は二つしかないので、彼女はリスト１４５から“２”を選択する（ステップＳ４６）。ハンドセット１２０は、調査選択肢を入力するように彼女を促すが、それは、この場合には“イエス”１４６と“ノー”１４７とである（ステップＳ４７及びＳ４８）。次にアリスは自分が作った質問表１４８を良く調べ（ステップＳ４９）、“質問表を送る”選択肢１４９を選択することによって質問表を送ることを決めたと指摘する（ステップＳ５０）。
【０１０５】
アリスは次に配分リストを作る。彼女は、リストに加える選択肢１５０を選択する（ステップＳ５１）。その後、彼女は、テキスト・エディター１５１を用いて、又はＳＩＭカード１３５又はフラッシュメモリー１３２に記憶されている自分の番号リストから名前を選択して電話番号を入力する（ステップＳ５２及びＳ５３）。彼女は、意図した全ての受取人を特定するまでステップＳ５１からＳ５３を反復する。配分リストが完成すると、彼女は質問表を送る選択肢１５２を選ぶ（ステップＳ５４）。質問表は、それ自体としては周知されている態様でＳＭＳメッセージとして各受取人に送られる。ハンドセット１２０は、質問表が送られたことを通知１５３で確認し（ステップＳ５５）、アイドル状態に戻る（ステップＳ５６）。
【０１０６】
第２のユーザであるボブが質問表を受け取って回答する方法を次に説明する。
【０１０７】
図２４は、ボブの装置１２１のＬＣＤ１２７で表示された出力を示している。装置８１はアイドル状態にある（ステップＳ５７）。質問表が受け取られ、装置８１は、質問表が受け取られたことをアイコン又はメッセージ１５４でボブに知らせる（ステップＳ５８）。音響警報でボブを変更することもできる。ボブは、質問表を読むことを決め、リストからアリスの質問表１５５を選択する（ステップＳ５９）。調査質問及び選択肢１５６がＬＣＤ１２７で表示される（ステップＳ６０）。説明文１４０ａ及び１４０ｂは、利用可能な選択肢をボブに示す。ボブは、“イエス”を示すために第１ソフトキー１２８ａを押す。ＬＣＤ１２７は、彼の選択を確認するために質問１５７を提示する（ステップＳ６１）。ボブが自分の選択を確認すると、装置１２１は彼の票が投じられたことを通知１５８で表示する（ステップＳ６２）。
【０１０８】
アリスのＬＣＤ１２７で表示される出力を示す図２５を参照すると、ハンドセット１２０はアイドル状態になっている（ステップＳ６３）。ボブの票が受け取られ、装置１２０は、票が受け取られたことをアイコン又はメッセージ１５９でアリスに知らせる（ステップＳ６４）。アリスは、票と、それまでの調査の結果１６０とを調べることを決める（ステップＳ６５）。この例では、アリスは、得票割合及び投票者数などの調査統計１６１も調べる（ステップＳ６６）。アリスは、調査の結果を他のみんなと共有しようと決める。従って、彼女は、調査の結果を元の配分リスト中の受取人に送る選択肢１６２を選ぶ（ステップＳ６７及びＳ６８）。
【０１０９】
受取人は、票を投じることに加えて、回答時にメッセージを付加することができることが理解されよう。このことは、例えば選択を行った後にテキストエディターに入り、その後にメッセージを入力することを必要とする。メッセージが入力されると、そのメッセージは、票と共に調査開始者（この場合にはアリス）に送られる。
【０１１０】
第４実施態様
図２６を参照する。本発明の第４実施態様において、多機能移動通信装置３は、ＰＬＭＮ４を通してラジオ番組製作者即ちラジオ局１にＳＭＳメッセージを送ることによりラジオチャットに参加するために使用される。ラジオ局１は、このＳＭＳを音声信号に変換し、その音声信号（好ましくはＶＨＦ−ＦＭ信号）を、他の多機能移動通信装置を含む無線受信装置（図示されていない）に受信されるように放送ネットワーク２を通して送信する。この例では、装置３はＷＡＰ作動されなくても良い。
【０１１１】
ユーザがラジオ番組中、歌休みのときに発表されるチャットメッセージを送る方法について次に説明する。
【０１１２】
ＬＣＤ１１上の出力を示す図２７を参照する。装置３は、図６を参照して前述したように、ラジオ局１を聞くように調整される（ステップＳ６９）。ユーザは、メニュー選択肢１６３を選択することにより他の機能を使いたいと指摘し（ステップＳ７０）、機能メニューから“メッセージ”１６４を選択する（ステップＳ７１）。ユーザはメッセージを書くことを選び（ステップＳ７２）、テキストエディターが提示される（ステップＳ７３）。ユーザは、英数字キーパッド１２ｄ（図２）を使ってメッセージ“やあ、ボブ！”をタイプし（ステップＳ７４）、このメッセージを送る選択肢１６６を選ぶ（ステップＳ７５）。次にユーザはラジオ局の電話番号１６７を入力する（ステップＳ７６）。或いは、ユーザは、ＳＩＭカード１９又はフラッシュメモリ１６（図３）に記憶されているリストから電話番号を選択することができる。電話番号は、ユーザによりＲＤＳデータとして送られ、ＲＡＭ１５に一時的に記憶されてから引き出されても良い。番号が入力されると、メッセージは送信される。首尾良く送信が行われたことの確認１６８が表示される（ステップＳ７７）。
【０１１３】
図２８を参照する。サーバーコンピュータ６（図４）は、メッセージを受け取り（ステップＳ７８）、それをスタックの下側に置く（ステップＳ７９）。
【０１１４】
図２９を参照する。歌休み中などに適当なときが来たら、パーソナルコンピュータ３２（図４）は所定数のメッセージをスタックの上側から取り除き、テキスト−音声アプリケーションを使って該メッセージを音声メッセージに変換し（ステップＳ８１）、この音声メッセージは、放送のためにミキシングデスク２６（図４）に供給される（ステップＳ８２）。変換のために引き出されるメッセージの数は、ラジオ局１がセットできる。例えば、一度に１つのメッセージを引き出すことができる。パーソナルコンピュータ３２は、例えば、Ｔ９（商標）を使って、言い方を改善したり或いは不適切な語句があるか無いか調べるためにメッセージを前処理又は後処理することができる。
【０１１５】
今説明した実施態様において、テキストメッセージ１６５を送ったことに対して聴取者に定額制料金が課される。
【０１１６】
代わりの実施態様では、ユーザがテキストメッセージ１６５を作るとき、種々の料金が課される方を選ぶことができ、このことはユーザのメッセージが何時放送されるかを決定する。
【０１１７】
図３０を参照する。サーバーコンピュータ３２は、課される料金の表示と共にメッセージを受け取る（ステップＳ８３）。ユーザが第１の高い料金（例えば２ポンド）が課される方を選んだならば、そのメッセージはパーソナルコンピュータ３２（図４）に転送されて直ぐに変換され送信される（ステップＳ８４及びＳ８５）。ユーザが第２の、低い方の料金（例えば６０ペンス）が課される方を選んだならば、そのメッセージはスタックの上側の近くか又は上側に置かれる（ステップＳ８６及びＳ８７）。ユーザが第３の、もっと低い方の料金（例えば２０ペンス）が課される方を選んだならば、そのメッセージはスタックの下側に置かれる（ステップＳ８８）。
【０１１８】
装置３がチャットメッセージを送るためにラジオ放送受信機機能を提供しなくても良いことが理解されよう。
【０１１９】
第５実施態様
図２６を参照する。第４実施態様の修正形において、メッセージは、音声メッセージとしてではなくてＲＤＳを用いて放送される。このことは、ユーザが自分の移動通信装置を用いてチャットに参加することを可能にする。装置３はＷＡＰ作動されなくても良い。
【０１２０】
ユーザは、図２７を参照して前述したように、装置３（図１）でＳＭＳメッセージを作る。サーバーコンピュータ６（図４）は、図２８を参照して前述したようにメッセージをスタックに置く。
【０１２１】
図３１を参照する。パーソナルコンピュータ３２は、サーバーコンピュータ６に保持されているスタックの上側のメッセージを引き出す（ステップＳ８９）。このメッセージは、その後、ＲＤＳ副搬送波で送信される（ステップＳ９０）。ＳＭＳメッセージは、分割されて複数のＲＤＳメッセージとして送られても良い。その理由は、ＳＭＳメッセージの長さが１６０キャラクタの長さになることがあるのに対してＲＤＳメッセージは３２又は６４キャラクタに限定されがちだからである。
【０１２２】
図３２を参照する。ＲＤＳ信号は、装置３を含む、ＦＭ受信装置及び他の受信装置（図示されていない）を有する移動通信装置（図示されていない）により受信される。装置３は、メッセージが受信されたという警報１６９を表示し（ステップＳ９１）、該メッセージを読むという選択肢をユーザーに与える（ステップＳ９２）。このときメッセージ１７０が表示される。
【０１２３】
図３３を参照する。メッセージは、テキストがスクリーンの右側から入ってきて左へ出て行く“チッカーテープ”のフォーマット１７１で提示されても良い。
【０１２４】
装置３がチャットメッセージを送るためにラジオ放送受信装置機能を提供しなくても良いことが理解されよう。ユーザは、移動通信装置３を用いてチャットメッセージを送り、ＲＤＳを用いて放送されたチャットメッセージを表示するための表示装置を有する別のディジタル受信装置を用いて他の参加者からチャットメッセージを受け取ることができる。
【０１２５】
第６実施態様
図１に示されている装置等の装置を用いてチャットを行いやすくする環境を提供するために第５実施態様を更に修正することができる。
【０１２６】
図３４を参照する。第１及び第２の通信装置３1，３2は、アラン及びバーバラによりそれぞれ使用される。各装置３1，３2は、放送ネットワーク２を通してラジオ局１からＶＨＦ−ＦＭ信号を受信することができ、ＰＬＭＮ４を通して、自分達同士で通信することができると共に、他の装置（図示されていない）と通信することができる。局１、放送ネットワーク２、装置３1，３2、ＰＬＭＮ４及びサーバー６の特徴については、図１から９を参照して前述した。しかし、装置３1，３2はＷＡＰ作動されなくても良い。サーバー６はＷＡＰサーバーでなくても良い。サーバー６は、ＳＭＳメッセージ等のデータメッセージを受信するように構成されている。
【０１２７】
図３５において、第１及び第２のソフトキー１２ａ，１２ｂ（図２）の機能を示す第１及び第２の説明文４３ａ，４３ｂを含む出力がアランの装置３1のＬＣＤ１１で表示される。アランは、スクロールキー１２ｃと第１ソフトキー１２ａを使って機能メニューから“チャット”１７２を選択する（ステップＳ９１）。その後、アランは、テキストエディター１７３を使って別名又はニックネームを入力する（ステップＳ９２）。ユーザの匿名性を保つために別名又はニックネームを使うことができる。アランなどのチャット・ユーザは、前もってラジオ局１に別名又はニックネームを登録しておかなければならないかも知れないことが理解されよう。別名又はニックネームは１つのチャット・セションについてのみ有効であり得るということも理解されよう。アランはこのときサーバー６の電話番号を、又は、そうすることが適切であるならばサーバー６のＵＲＬを、テキストエディター１７４を使って入力するか、又はＳＩＭカード１９（図３）又はフラッシュメモリ１６（図２）に保持されているリストから番号を選択する（ステップＳ９３）。アランは、その後、チャットメッセージ“やあ、バーバラ！”１７５を入力する（ステップＳ９４及びＳ９５）。アランは、その後、チャットメッセージ１７５を送ることを決め、ＬＣＤ１１は、チャットメッセージを送ったという確認１７６を表示する（ステップＳ９６）。
【０１２８】
アランのチャットメッセージ１７５は、ＳＭＳメッセージ等のデータメッセージとしてサーバーコンピュータ６に送られ、図２８を参照して前述したようにここでスタックに置かれる。その後、アランのチャットメッセージ１７５は、引き出されて、図３１を参照して説明したように、１つ以上のＲＤＳメッセージを用いて放送される。サーバー６の電話番号などの、別の情報をチャットメッセージ１７５に追加することができる。チャットメッセージ１７５は、バーバラの装置３2を含む無線受信装置（図示されていない）により受信される。
【０１２９】
図３６において、第１及び第２のソフトキー１２ａ，１２ｂ（図２）の機能を示す第１及び第２の説明文４３ａ，４３ｂを含む出力がバーバラの装置３2のＬＣＤ１１で表示される。彼女の装置３2は、図６を参照して前述したように、ラジオ局１を聞くように調整される。
【０１３０】
アランのメッセージ１７５は、受信され、マイクロコントローラ１４（図３）により処理され、ＲＡＭ１５（図３）に記憶される。ＬＣＤ１１は、チャットメッセージが受信されたという警報１７７を表示し（ステップＳ９７）、そのチャットメッセージを読む選択肢をバーバラに与える。アランのメッセージ１７５に対応するメッセージ１７８が表示される（ステップＳ９８）。表示されるメッセージ１７８は、アランのアイデンティティー、電話番号及び／又は記号若しくは絵などのアイコンに関連する別の情報を含んでいても良い。バーバラは、選択肢メニューに入って、チャットメッセージに応える選択肢１７９を選択することができる（ステップＳ９９）。バーバラは、テキストエディターに入って“やあ、アラン！”１８０という返事をタイプする（ステップＳ１００及びＳ１０１）。彼女は、その後、返事メッセージ１８０を送ることを選択し、ＬＣＤ１１は、チャットメッセージが送られたという確認１８１を表示する（ステップＳ１０２）。サーバー６の電話番号がアランのチャットメッセージ１７５に追加されていなければ、バーバラはサーバー６の電話番号を手操作で入力できることが理解されよう。
【０１３１】
バーバラのチャットメッセージ１８０は、ＳＭＳメッセージ等のデータメッセージとしてサーバーコンピュータ６に送られ、前述したようにここでスタックに置かれる。その後、バーバラのチャートメッセージ１８０は、引き出されて、前述したように１つ以上のＲＤＳメッセージを用いて放送される。バーバラのチャットメッセージ１８０は、アランの
装置３1を含む無線受信装置（図示されていない）により受信される。
【０１３２】
もしアランが自分の装置３2を使ってラジオ局１を聞いていれば、彼はバーバラのチャット返事を受信する。この様に、アランとバーバラとはチャットに参加できる。チャットメッセージ１７５，１８０は放送されるので、もっと多くのユーザがチャットに参加できることが理解されよう。
【０１３３】
図３７を参照する。チャットセション中のチャットメッセージ１７８，１８０を順に提示することができる。例えばニックネームや短縮形などのチャット名１８１を先頭に置いて各チャットメッセージ１７８，１８０を表示することができる。スクロールキー１２ｃを用いてユーザはチャットセションを調べることができる。
【０１３４】
図３８を参照する。種々のチャットチャネル又は“チャットルーム”を定めることができる。チャットルームに対応するヘッダをチャットメッセージに与えることができる。例えば、誰が次の市長になるべきか論じるために第１チャットルームを使うことができ、第２チャットルームは好みの色についての話題を論じることができる。
【０１３５】
次に、チャットルームを使用する手続きを説明する。
【０１３６】
アランやバーバラなどのチャットユーザは、スクロールキー１２ｃと第１ソフトキー１２ａとを使って機能メニューから“チャット”１７２を選択する（ステップＳ１０３）。次にユーザは１つのチャットルームを選び取る選択肢１８２を選択する（ステップＳ１０４）、その後、ユーザは話題１８３を選択する（ステップＳ１０５）。その話題のためのチャットセション１８４をメモリ１５，１６，１９（図３）から引き出して表示することができる（ステップＳ１０６）。前述したようにチャットメッセージを書いて送ることができる。チャットメッセージが受信され、それが特定の話題に関するものであれば、それを話題に応じて記憶させることができる。
【０１３７】
ＳＭＳを使ってチャットメッセージを送る場合、ＳＭＳセンターを介してサーバーにメッセージを転送できることが理解されよう。
【０１３８】
移動通信装置の例としてはＰＤＡ、ゲーミング装置、及び家庭用娯楽システムのためのリモート手保持装置があるということが理解されよう。
【０１３９】
本発明は、ＷＡＰ技術の使用に限定されるものではなくて、移動性のある装置が遠方のサーバーのためのクライアントとして動作するようになっている任意の移動通信システムに使用できるものである。ｉ−モード、ＧＰＲＳ及びＵＭＴＳを使用する移動通信装置を使用できることが理解されよう。
【０１４０】
前記実施態様は各々複数の有利な特徴を包含しており、それらの特徴を、それらの特徴が関連する前記の種々の実施態様の中で又は外でいろいろに組み合わせて使用でき、その様な組み合わせは以降の請求項に包含されていると見なされるべきであることが理解されよう。
【図面の簡単な説明】
【０１４１】
【図１】本発明の第１実施態様におけるラジオ局、移動通信装置、放送ネットワーク及び公衆地上移動通信ネットワークを例示する略ブロック図である。
【図２】図１に示されている移動通信装置の略図である。
【図３】図２に示されている移動通信装置の電気回路構成の略ブロック図である。
【図４】ラジオ局の一部分と、関連するネットワークとの略ブロック図である。
【図５ａ】テンプレートウェブページを示す。
【図５ｂ】補正後の図５ａのテンプレートウェブページを示す。
【図５ｃ】サーバーに掲示されたウェブページを示す。
【図６】移動通信装置のユーザが該装置をラジオとして使用することを決める手続きを例示している。
【図７】移動通信装置のユーザが投票手続きを含む調査に参加する手続きを例示している。
【図８】図７に示されている手続きに使える代わりの投票手続きを例示している。
【図９】サーバーコンピュータが世論調査を管理する手続きを例示している。
【図１０】本発明の第２実施態様におけるラジオ番組制作ユニット、移動通信装置、単一周波数放送ネットワーク及び公衆地上移動通信ネットワークを例示する略ブロック図である。
【図１１】制作ユニット及び関連するネットワークの略ブロック図である。
【図１２】番組関連データを含むオーディオフレームを示す。
【図１３】移動通信装置の略図である。
【図１４】図１３に示されている移動通信ハンドセットの電気回路構成の略ブロック図である。
【図１５ａ】テンプレートウェブページを示す。
【図１５ｂ】補正後の図１５ａのテンプレートウェブページを示す。
【図１５ｃ】サーバーに掲示されたウェブページを示す。
【図１６】パーソナルコンピュータが調査を開始する手続きを例示している。
【図１７】移動通信装置のユーザが該装置をディジタルラジオとして使うことを決める手続きを例示している。
【図１８】移動通信装置のユーザが調査に参加する手続きを例示している。
【図１９】サーバーコンピュータが世論調査を管理する手続きを例示している。
【図２０】メッセージを交換する２つの移動通信装置の略ブロック図である。
【図２１】図２０に示されている移動通信装置の略図である。
【図２２】図２１に示されている移動通信ハンドセットの電気回路構成の略ブロック図である。
【図２３】質問表を作りし、分配する手続きを例示する。
【図２４】受取人が票を投じる手続きを例示している。
【図２５】イニシエータが票を集める手続きを例示している。
【図２６】本発明の第３実施態様におけるラジオ局、移動通信装置、放送ネットワーク及び公衆地上移動通信ネットワークを例示する略ブロック図である。
【図２７】チャットメッセージを作成してラジオ局に送る手続きを例示している。
【図２８】チャットメッセージをスタックに置く手続きを例示している。
【図２９】チャットメッセージをスタックから引き出す手続きを例示している。
【図３０】チャットメッセージをスタックに置く代わりの手続きを例示している。
【図３１】ＲＤＳを用いてチャットメッセージを送信する手続きを例示している。
【図３２】ＲＤＳを用いて受信されたチャットメッセージを移動通信装置が表示する手続きを例示している。
【図３３】ＲＤＳにより受信されたチッカーテープ・メッセージを表示する移動通信装置の表示装置を示す。
【図３４】第１及び第２の通信装置を含む図１に示されているシステムの修正された図を示す。
【図３５】ＲＤＳを用いてチャットメッセージを送信する別の手続きを例示している。
【図３６】ＲＤＳを用いてチャットメッセージを受信する別の手続きを例示している。
【図３７】チャットメッセージを提示する別の方法を例示している。
【図３８】いろいろなチャットチャネルを例示している。
【図１】
2005506772.tif 000003
【図３】
2005506772.tif 000004
【図４】
2005506772.tif 000005
【図５ａ】
2005506772.tif 000006
【図５ｂ】
2005506772.tif 000007
【図５ｃ】
2005506772.tif 000008
【図６】
2005506772.tif 000009
【図７】
2005506772.tif 000010
【図８】
2005506772.tif 000011
【図９】
2005506772.tif 000012
【図１０】
2005506772.tif 000013
【図１１】
2005506772.tif 000014
【図１２】
2005506772.tif 000015
【図１４】
2005506772.tif 000016
【図１５ａ】
2005506772.tif 000017
【図１５ｂ】
2005506772.tif 000018
【図１５ｃ】
2005506772.tif 000019
【図１６】
2005506772.tif 000020
【図１７】
2005506772.tif 000021
【図１８】
2005506772.tif 000022
【図１９】
2005506772.tif 000023
【図２２】
2005506772.tif 000024
【図２３】
2005506772.tif 000025
【図２４】
2005506772.tif 000026
【図２５】
2005506772.tif 000027
【図２６】
2005506772.tif 000028
【図２７】
2005506772.tif 000029
【図２８】
2005506772.tif 000030
【図２９】
2005506772.tif 000031
【図３０】
2005506772.tif 000032
【図３１】
2005506772.tif 000033
【図３２】
2005506772.tif 000034
【図３３】
2005506772.tif 000035
【図３４】
2005506772.tif 000036
【図３５】
2005506772.tif 000037
【図３６】
2005506772.tif 000038
【図３７】
2005506772.tif 000039
【図３８】
2005506772.tif 000040
【国際公開パンフレット】
2005506772.tif 000041
2005506772.tif 000042
2005506772.tif 000043
2005506772.tif 000044
2005506772.tif 000045
2005506772.tif 000046
2005506772.tif 000047
2005506772.tif 000048
2005506772.tif 000049
2005506772.tif 000050
2005506772.tif 000051
2005506772.tif 000052
2005506772.tif 000053
2005506772.tif 000054
2005506772.tif 000055
2005506772.tif 000056
2005506772.tif 000057
2005506772.tif 000058
2005506772.tif 000059
2005506772.tif 000060
2005506772.tif 000061
2005506772.tif 000062
2005506772.tif 000063
2005506772.tif 000064
2005506772.tif 000065
2005506772.tif 000066
2005506772.tif 000067
2005506772.tif 000068
2005506772.tif 000069
2005506772.tif 000070
2005506772.tif 000071
2005506772.tif 000072
2005506772.tif 000073
2005506772.tif 000074
2005506772.tif 000075
2005506772.tif 000076
2005506772.tif 000077
2005506772.tif 000078
2005506772.tif 000079
2005506772.tif 000080
2005506772.tif 000081
2005506772.tif 000082
2005506772.tif 000083
2005506772.tif 000084
2005506772.tif 000085
2005506772.tif 000086
2005506772.tif 000087
2005506772.tif 000088
2005506772.tif 000089
2005506772.tif 000090
2005506772.tif 000091
2005506772.tif 000092
2005506772.tif 000093
2005506772.tif 000094
2005506772.tif 000095
2005506772.tif 000096
2005506772.tif 000097
2005506772.tif 000098
2005506772.tif 000099
【手続補正書】
【提出日】平成15年5月20日(2003.5.20)
【手続補正１】
【補正対象書類名】特許請求の範囲
【補正対象項目名】全文
【補正方法】変更
【補正の内容】
【特許請求の範囲】
【請求項１】
移動通信装置を使用して放送ラジオ番組の製作者に生のフィードバックを提供する方法であって：
前記製作者から前記装置にラジオ番組コンテンツのストリームを送信し；
応答せよという前記装置のユーザに対する前記製作者からのメッセージを送信し；
前記ストリームがなお受信されている間に、前記製作者に関連付けられているサーバ手段において、前記メッセージに対する応答を受信することを含む方法。
【請求項２】
複数の選択可能な選択肢に関連する情報を含む前記メッセージを１つ以上の移動通信装置に送信し；
前記選択肢のうちから選択された１つの選択肢に関連するデータを各々含む応答を前記装置のうちの少なくとも幾つかから受信し；
前記応答から調査結果を作ることを含むことを特徴とする請求項１に記載の方法。
【請求項３】
移動通信装置を使ってチャットメッセージを作り；
該製作者と関連付けられているサーバー手段に移動通信ネットワークを介して前記チャットメッセージを送信し；
放送ネットワークを介して前記チャットメッセージを放送することを含むことを特徴とする請求項１又は２に記載の方法。
【請求項４】
前記番組コンテンツの前記ストリームから前記メッセージを抽出することを含むことを特徴とする請求項１から３のいずれか一項に記載の方法。
【請求項５】
第１ネットワークを介して前記番組コンテンツのストリームを受信し、第２の異なるネットワークを介して前記メッセージを受信することを含むことを特徴とする請求項１から３のいずれか一項に記載の方法。
【請求項６】
第２の異なるネットワークを介する前記メッセージの前記受信は、公衆地上移動通信ネットワークを介して前記メッセージを入手することを含むことを特徴とする請求項５に記載の方法。
【請求項７】
前記メッセージの前記受信は、複数の選択可能な選択肢に関する情報を受信することを含むことを特徴とする上記請求項のいずれか一項に記載の方法。
【請求項８】
各選択肢にそれぞれの入力手段が割り当てられるように前記メッセージに応じて前記装置を構成することを更に含むことを特徴とする請求項７に記載の方法。
【請求項９】
前記応答の前記送信は、前記選択可能な選択肢のうちの１つに関連する応答メッセージを送ることを含むことを特徴とする請求項７又は８に記載の方法。
【請求項１０】
ユーザが電子トランザクションを行うことを更に含むことを特徴とする上記請求項のいずれか一項に記載の方法。
【請求項１１】
複数の選択可能な選択肢に関連する情報を含む前記メッセージを１つ以上の移動通信装置に送信し；
前記選択肢のうちから選択された１つの選択肢に関連するデータを各々含む応答を前記装置のうちの少なくとも幾つかから受信し；
前記応答から調査結果を作ることを含むことを特徴とする請求項１から１０のいずれか一項に記載の方法。
【請求項１２】
移動通信装置を使ってチャットメッセージを作り；
該製作者と関連付けられているサーバー手段に移動通信ネットワークを介して前記チャットメッセージを送信し；
放送ネットワークを介して前記チャットメッセージを放送することを含むことを特徴とする請求項１から１２のいずれか一項に記載の方法。
【請求項１３】
前記サーバー手段を提供する前記製作者を備えている、請求項１から１２のいずれか一項に記載の方法。
【請求項１４】
前記製作者は前記サーバ手段を、移動通信装置からの応答を受信可能に構成する請求項１から１３のいずれか一項に記載の方法。
【請求項１５】
前記製作者は前記サーバからの応答を検索する請求項１〜１４のいずれか一項に記載の方法。
【請求項１６】
移動通信装置がラジオ放送番組の製作者に生のフィードバックを提供することを可能にするシステムであって：
該製作者から該装置へのラジオ番組コンテンツのストリームを作るための手段と；
該製作者から発せられた、応答せよという前記装置のユーザに対するメッセージを送信するための手段と；
前記ストリームがなお作っている間に前記メッセージに対する応答を受信するための手段とを含むことを特徴とするシステム。
【請求項１７】
応答せよという前記装置の前記ユーザに対する前記メッセージを送信するための前記手段は、ラジオシステムデータ（ＲＤＳ）を作るための手段を含むことを特徴とする請求項１６に記載のシステム。
【請求項１８】
応答せよという前記装置の前記ユーザに対する前記メッセージを送信するための前記手段は、ディジタルオーディオ放送ネットワークを含むことを特徴とする請求項１６に記載のシステム。
【請求項１９】
前記メッセージはディジタルオーディオフレームに含まれることを特徴とする請求項１８に記載のシステム。
【請求項２０】
前記メッセージは、前記ディジタルオーディオフレームに含まれている番組関連データに含まれることを特徴とする請求項１８に記載のシステム。
【請求項２１】
応答せよという前記装置のユーザに対する前記メッセージを送信するための前記手段は、前記サーバー手段及び／又は他のサーバー手段を含むことを特徴とする請求項１５に記載のシステム。
【請求項２２】
前記メッセージは、前記サーバー手段により提供されるページに含まれることを特徴とする請求項２０に記載のシステム。
【請求項２３】
前記サーバー手段は無線アプリケーション・プロトコル（ＷＡＰ）サーバーであることを特徴とする請求項１５から２１のいずれか一項に記載のシステム。
【請求項２４】
移動通信装置がラジオ放送番組の製作者に生のフィードバックを提供することを可能にするためのシステムであって：
ラジオ番組コンテンツのストリームを作るための手段と；
前記製作者から発せられた、応答せよという前記装置のユーザに対するメッセージを送信するための手段と；
前記メッセージに対する応答に関連するデータをサーバー手段から受信するための手段であって、前記データは前記ストリームがなお作られている間に受信される前記手段とを含むシステム。
【請求項２５】
ラジオ放送番組の製作者に生のフィードバックを提供するための移動通信装置であって、該装置は：
前記製作者からラジオ番組コンテンツのストリームを受信するための手段と；
前記製作者から発せられた、応答せよという前記装置のユーザに対するメッセージを受信するための手段と；
前記ストリームがなお受信されている間にフィードバックを提供するために該製作者に関連付けられているサーバー手段に応答を送信するための手段とを含むことを特徴とする装置。
【請求項２６】
前記ラジオ番組コンテンツのストリームを受信するための前記手段は、ディジタルラジオ放送（ＤＡＢ）を受信するための手段を含むことを特徴とする請求項２５に記載の装置。
【請求項２７】
前記メッセージを受信するための前記手段は、ディジタルラジオ放送（ＤＡＢ）を受信するための手段を含むことを特徴とする請求項２５又は２６に記載の装置。
【請求項２８】
前記メッセージを受信するための前記手段は、ラジオ放送を受信するための手段を含むことを特徴とする請求項２５に記載の装置。
【請求項２９】
前記メッセージを受信するための前記手段は、ラジオデータシステム（ＲＤＳ）データのための手段を含むことを特徴とする請求項２８に記載の装置。
【請求項３０】
前記メッセージを受信するための前記手段は、前記サーバー手段及び／又は他のサーバー手段にアクセスするための手段を含むことを特徴とする請求項２５に記載の装置。
【請求項３１】
ＷＡＰで可能なことを特徴とする請求項２５から３０のいずれか一項に記載の装置。
【請求項３２】
ハンドセットであることを特徴とする請求項２５から３１のいずれか一項に記載の装置。
【請求項３３】
ＰＤＡであることを特徴とする請求項２５から３２のいずれか一項に記載の装置。
【請求項３４】
放送ラジオ番組の製作者により１つ以上の移動通信装置の調査を行うための方法であって、この方法は：
ラジオ番組のコンテンツのストリームを前記１つ以上の移動通信装置に送信し；
複数の選択可能な選択肢に関連する情報を含むメッセージを前記１つ以上の移動通信装置に送信し；
前記製作者に関係付けられているサーバにおいて、前記選択肢のうちから選択された１つの選択肢に関連するデータを各々含む応答を前記装置のうちの少なくとも幾つかから受信し；
前記ストリームがなお送信されている間に、前記応答から調査結果を作ることを含むことを特徴とする方法。
【請求項３５】
放送を行う方法であって：
移動通信装置を使ってメッセージを作り；
ラジオ放送局に関連付けられているサーバー手段に通信ネットワークを介して前記メッセージを送信し；
放送ネットワークを介して前記メッセージを放送することを含むことを特徴とする方法。
【請求項３６】
チャットの方法であって：
移動通信装置を使ってメッセージを作り；
ラジオ放送局に関連付けられているサーバー手段に通信ネットワークを介して前記メッセージを送信し；
放送ネットワークを介して前記メッセージを放送することを含むことを特徴とする方法。
【請求項３７】
前記メッセージを音声メッセージに変換し、前記放送ネットワークを介して前記音声メッセージを放送することを含むことを特徴とする請求項３５又は３６に記載の方法。
【請求項３８】
前記メッセージをデータとしてオーディオ信号と共に放送することを含むことを特徴とする請求項３５又は３６に記載の方法。
【請求項３９】
前記データの前記放送は、ラジオデータシステム（ＲＤＳ）データを送信することを含むことを特徴とする請求項３８に記載の方法。
【請求項４０】
前記データの前記放送は、複数のＲＤＳデータメッセージを送信することを含むことを特徴とする請求項３９に記載の方法。
【請求項４１】
周波数変調された（ＦＭ）信号を使って前記メッセージを放送することを含むことを特徴とする請求項３５から４０のいずれか一項に記載の方法。
【請求項４２】
前記応答の受信は、ショートメッセージサービス（ＳＭＳ）メッセージを受信することを含むことを特徴とする請求項３５から４１のいずれか一項に記載の方法。
【請求項４３】
チャットの方法であって：
通信ネットワークからチャットメッセージを受信し；
放送ネットワークを介して対応するメッセージを放送することを含み、前記対応するメッセージの前記放送はラジオデータサービス（ＲＤＳ）メッセージを含むことを特徴とする方法。
【請求項４４】
該チャットメッセージの受信は、ショートメッセージサービス（ＳＭＳ）メッセージを受信することを含むことを特徴とする請求項４３に記載の方法。
【請求項４５】
前記対応するメッセージの放送は、複数のラジオデータサービス（ＲＤＳ）メッセージを送信することを含むことを特徴とする請求項４３に記載の方法。
【手続補正２】
【補正対象書類名】明細書
【補正対象項目名】０００８
【補正方法】変更
【補正の内容】
【０００８】
本発明により、移動通信装置を使用して放送ラジオ番組の製作者に生のフィードバックを提供する方法であって：製作者から装置にラジオ番組コンテンツのストリームを送信し；
応答せよという装置のユーザに対する製作者からのメッセージを送信し；
前記ストリームがなお受信されている間に、前記製作者に関連付けられているサーバ手段において、メッセージに対する応答を受信することを含む方法が提供される。


【手続補正３】
【補正対象書類名】明細書
【補正対象項目名】０００９
【補正方法】削除
【補正の内容】
【手続補正４】
【補正対象書類名】明細書
【補正対象項目名】００１４
【補正方法】変更
【補正の内容】
【００１４】
この方法はサーバ手段を提供する製作者を備えていてもよい。この方法は、製作者がサーバ手段を、移動通信装置からの応答を受信可能に構成し、サーバ手段からの応答を検索するようにしてもよい。
【手続補正５】
【補正対象書類名】明細書
【補正対象項目名】００２３
【補正方法】変更
【補正の内容】
【００２３】
本発明により、放送ラジオ番組の製作者により１つ以上の移動通信装置の調査を行うための方法であって、この方法は：
ラジオ番組のコンテンツのストリームを前記１つ以上の移動通信装置に送信し；
複数の選択可能な選択肢に関連する情報を含むメッセージを前記１つ以上の移動通信装置に送信し；
前記製作者に関係付けられているサーバにおいて、前記選択肢のうちから選択された１つの選択肢に関連するデータを各々含む応答を装置のうちの少なくとも幾つかから受信し；
前記ストリームがなお送信されている間に、前記応答から調査結果を作ることを含むことを特徴とする方法が提供される。
【手続補正６】
【補正対象書類名】明細書
【補正対象項目名】００２８
【補正方法】変更
【補正の内容】
【００２８】
本発明により、チャットの方法であって：通信ネットワークからチャットメッセージを受信し；放送ネットワークを介して対応するメッセージを放送することを含み、前記対応するメッセージの前記放送はラジオデータサービス（ＲＤＳ）メッセージを含んでもよい方法が提供される。
【手続補正７】
【補正対象書類名】明細書
【補正対象項目名】００２９
【補正方法】変更
【補正の内容】
【００２９】
チャットメッセージの受け取りは、ショートメッセージサービス（ＳＭＳ）メッセージを受け取ることを含んでいて良い。前記対応するメッセージの放送はラジオデータサービス（ＲＤＳ）メッセージを送信することを含んでいて良い。
【手続補正８】
【補正対象書類名】明細書
【補正対象項目名】００３０
【補正方法】削除
【補正の内容】
【手続補正９】
【補正対象書類名】明細書
【補正対象項目名】００３１
【補正方法】削除
【補正の内容】
【手続補正１０】
【補正対象書類名】明細書
【補正対象項目名】００３２
【補正方法】削除
【補正の内容】
【国際調査報告】
2005506772.tif 000100
2005506772.tif 000101
2005506772.tif 000102